Podtech/llm-jp-corpus-v4-ja_patent huggingface dataset:
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
インクジェットプリンタにおける印刷ヘッドクリーニングシステムをクリーニングするために使用される要素をクリーニングするためのシステムであって、
１対の平行部材と、
フレームを形成するために前記１対の平行部材と交差する少なくとも２つの交差部材と、
双方向回転出力軸を有して構成されたアクチュエータと、
回転時に出力軸によって回転するように前記アクチュエータの回転出力軸に動作可能に接続された軸であって、前記軸内の通路であって第１の端部及び第２の端部を有する通路を備える軸と、
前記通路の前記第１の端部を空気的に流体源に接続するように構成された前記軸上の回転継手と、
複数の開口を有し且つ前記流体源からの流体が部材に流れて前記開口を介して流出するのを可能とするように前記流体源に空気的に接続され、前記少なくとも２つの交差部材に平行である部材であって、前記部材が、少なくとも２つのホイールをさらに備え、１つのホイールが、前記平行部材の１つに沿って１つのホイールが転動するのを可能とするように前記部材の一端において前記部材に接続され、他のホイールが、前記他の平行部材に沿って他のホイールが転動するのを可能とするように前記部材の反対側の端部において前記部材に接続されている、部材と、
第１の端部及び第２の端部を有する可撓性中空部材であって、前記可撓性中空部材の第１の端部が前記通路の前記第２の端部に空気的に接続され、前記可撓性中空部材の前記第２の端部が前記部材に接続され、前記部材が前記第１の位置から前記第２の位置まで移動するのにともない前記可撓性中空部材が前記軸から巻き戻されて前記部材に追従し、前記部材が前記第２の位置から前記第１の位置まで戻るのにともない前記軸まわりに巻回されるのを可能とするように前記可撓性中空部材が前記軸の周囲に巻回される可撓性中空部材と、
第１のコード及び第２のコードであって、前記第１のコードが第１の端部及び第２の端部を有し、前記第２のコードが第１の端部及び第２の端部を有し、前記第１のコードの前記第１の端部及び前記第２の端部が前記軸の第１の端部において反対方向に前記軸まわりに巻回されており、前記第２のコードの前記第１の端部及び前記第２の端部が前記軸の第２の端部において反対方向に前記軸まわりに巻回されており、各コードが、前記流体が前記部材における前記開口を介して排出されるのにともない前記アクチュエータが前記軸を第１の方向に回転させて前記１対の平行部材の一端における第１の位置から前記１対の平行部材の他端における第２の位置まで前記部材を移動させ、前記軸を前記第１の方向の反対方向に回転させて前記部材を前記第１の位置に戻すのを可能とするように前記部材に動作可能に接続されている、第１のコード及び第２のコードと、
第１の張力機構及び第２の張力機構であって、前記第１のコードが、前記第１の張力機構を介して巻回され、前記第２のコードが、前記第２の張力機構を介して巻回され、前記第１の張力機構が、前記他の交差部材が前記軸から離れている距離よりも遠く前記軸から離れて配置された前記交差部材の一端に配置され、前記第２の張力機構が、前記他の交差部材が前記軸から離れている距離よりも遠く前記軸から離れて配置された前記交差部材の反対端に配置され、各張力機構が、少なくとも１つの引張バネと、前記他の交差部材が前記軸から離れている距離よりも遠く離れて配置された前記交差部材に取り付けられた複数のプーリとをさらに備え、各張力機構の前記少なくとも１つの引張バネが、前記プーリを互いに離れるように付勢して前記張力機構を介して巻回された前記コードを緊張状態に保つ、第１の張力機構及び第２の張力機構と、
流体が容器と前記１対の平行部材との間に配置された少なくとも１つのワイパをクリーニングした後に、前記部材における前記開口から放出された流体を受けるように配置された容器であって、前記容器内に収集された流体が除去されるのを可能とするように開口を有する床を備える、容器と、
前記容器の前記床における前記開口に近接して配置され、前記容器の前記床における前記開口を介して前記流体を排出するために前記容器の不良を示す信号を生成するように構成された流体レベルセンサと、
前記流体源に動作可能に接続されたポンプと、
前記部材が前記第２の位置に存在するか不在であるかを示す信号を生成するように構成された位置センサと、
前記ポンプ、前記アクチュエータ、前記位置センサ、及び前記流体レベルセンサに動作可能に接続されたコントローラであって、前記コントローラは、前記アクチュエータを動作させて前記第１の位置から前記第２の位置に前記部材を移動させ前記第２の位置から前記第１の位置に前記部材を戻すように構成され、前記ポンプを動作させて前記部材が前記第１の位置から前記第２の位置に移動するとき及び前記第２の位置から前記第１の位置に戻るときに前記流体源からの前記流体を前記軸の前記通路を介して前記部材に移動させ前記部材の前記開口を介して移動させるように構成され、前記容器の前記床における前記開口を介して前記流体を排出するために前記容器の不良を示す前記信号を前記流体レベルセンサから受信するように構成され、前記位置センサから前記信号を受信して前記位置センサからの信号が前記部材が前記第２の位置に存在することを示すことに応答して前記アクチュエータの動作を反転させるように構成される、コントローラと、
を備えるクリーニングシステム。
【請求項２】
前記少なくとも１つのコードの一部が、前記他の交差部材よりも前記軸から離れて配置された前記交差部材の周囲に及ぶ、請求項１に記載のクリーニングシステム。
【請求項３】
前記部材が前記第１の位置に存在するか不在であるかを示す信号を生成するように構成される他の位置センサ、
をさらに備え、
前記コントローラがさらに、前記他の位置センサから前記信号を受信して、前記他の位置センサからの前記信号が前記部材が前記第１の位置に存在することを示すことに応答して前記アクチュエータの動作を停止させるように構成される、請求項１に記載のクリーニングシステム。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
所定の規格に従う第１通信インターフェースを介して上位システムと通信し、前記所定の規格に従う複数の第２通信インターフェースを介して複数のデバイスと通信する制御装置において、
前記上位システムの電力状態に関する情報に対応した前記複数のデバイスの電力状態に関する情報と、前記上位システムの電力状態に関する情報に対応した前記第１通信インターフェースの電力状態に関する情報を記憶する記憶手段と、
少なくとも前記複数のデバイスの電力状態および前記第１通信インターフェースに接続されたユニットの電力状態を制御する制御手段と、を有し、
前記ユニットは、前記上位システムが所定の電力状態へ移行することを示す信号を受信し、
前記制御手段は、前記ユニットが前記信号を受信したことに基づいて、前記記憶手段で記憶された情報に従って前記複数のデバイスの電力状態を制御し、且つ、前記記憶手段で記憶された情報に従って前記ユニットの電力状態を省電力状態となるように制御することを特徴とする制御装置。
【請求項２】
前記上位システムは印刷装置を含み、
前記印刷装置が有するプリンタコントローラが省電力状態ではなく、且つ、一定時間、前記印刷装置の操作が行われなかった場合に、前記制御手段は、前記記憶手段で記憶された情報に従って前記ユニットの電力状態を省電力状態になるように制御し、且つ、前記記憶手段で記憶された情報に従って前記複数のデバイスの電力状態を制御することを特徴とする請求項１に記載の制御装置。
【請求項３】
前記上位システムは印刷装置を含み、
前記上位システムが有するエンジンコントローラが省電力状態ではなく、且つ、一定時間、前記印刷装置の操作が行われなかった場合に、前記制御手段は、前記記憶手段で記憶された情報に従って前記ユニットの電力状態を省電力状態になるように制御し、且つ、前記記憶手段で記憶された情報に従って前記複数のデバイスの電力状態を制御することを特徴とする請求項１に記載の制御装置。
【請求項４】
前記記憶手段は、前記上位システムの電力状態に関する情報に対応した前記複数の第２通信インターフェースの電力状態に関する情報を更に記憶し、
前記制御手段は、前記受信手段が前記信号を受信したことに基づいて、前記記憶手段で記憶された情報に従って前記複数の第２通信インターフェースの各々に接続された複数のユニットの電力状態を制御することを特徴とする請求項１乃至３のいずれか１項に記載の制御装置。
【請求項５】
前記制御手段は、前記複数のユニットの電力状態を、電源ＯＦＦの電力状態、ＳＡＴＡポートのオフラインの電力状態、ＳＡＴＡ規格で定められたＳＡＴＡインターフェースの電力モードの電力状態のいずれかの電力状態となるように制御することを特徴とする請求項４に記載の制御装置。
【請求項６】
前記制御手段は、前記複数のデバイスの電力状態を、省電力状態または電源ＯＦＦの電力状態のいずれかの電力状態となるように制御することを特徴とする請求項１乃至５のいずれか１項に記載の制御装置。
【請求項７】
前記所定の規格はＳＡＴＡ規格であり、
前記制御手段は、前記受信手段が受信した前記信号の内容に応じて、前記ユニットの電力状態を、ＳＡＴＡ規格において定められたＤｅｖＳｌｅｅｐ，Ｓｌｕｍｂｅｒ，Ｐａｒｔｉａｌ，Ｏｆｆｌｉｎｅのいずれかの電力状態になるように制御することを特徴とする請求項１乃至６のいずれか１項に記載の制御装置。
【請求項８】
前記制御手段が、前記ユニットの電力状態を前記省電力状態となるように制御し、且つ、前記複数のデバイスの電力状態を省電力状態となるように制御した後に、前記複数のデバイスを使用するジョブが前記上位システムにおいて受信されると、前記複数のデバイスの電力状態および前記ユニットの電力状態を、省電力状態から復帰させることを特徴とする請求項１乃至７のいずれか１項に記載の制御装置。
【請求項９】
前記制御手段は、前記複数のデバイスの電力状態を、電源ＯＦＦの電力状態、ＳＡＴＡポートのオフラインの電力状態、ＳＡＴＡ規格で定められたＳＡＴＡインターフェースの電力モードの電力状態のいずれかの電力状態となるように制御することを特徴とする請求項１乃至７のいずれか１項に記載の制御装置。
【請求項１０】
所定の規格に従う第１通信インターフェースを介して上位システムと通信し、前記所定の規格に従う複数の第２通信インターフェースを介して複数のデバイスと通信する通信部と、前記上位システムの電力状態に関する情報に対応した前記複数のデバイスの電力状態に関する情報と、前記上位システムの電力状態に関する情報に対応した前記第１通信インターフェースの電力状態に関する情報を記憶する記憶部と、少なくとも前記複数のデバイスの電力状態および前記第１通信インターフェースに接続されたユニットの電力状態を制御する制御部と、を有する制御装置の制御方法において、
前記ユニットは、
前記上位システムが所定の電力状態へ移行することを示す信号を受信するステップと、
前記制御部が、前記ユニットが前記信号を受信したことに基づいて、前記記憶手段で記憶された情報に従って前記複数のデバイスの電力状態を制御し、且つ、前記記憶手段で記憶された情報に従って前記ユニットの電力状態を省電力状態となるように制御するステップと、を有することを特徴とする制御装置の制御方法。
【手続補正２】
【補正対象書類名】明細書
【補正対象項目名】００１３
【補正方法】変更
【補正の内容】
【００１３】
本発明は、所定の規格に従う第１通信インターフェースを介して上位システムと通信し、前記所定の規格に従う複数の第２通信インターフェースを介して複数のデバイスと通信する制御装置において、前記上位システムの電力状態に関する情報に対応した前記複数のデバイスの電力状態に関する情報と、前記上位システムの電力状態に関する情報に対応した前記第１通信インターフェースの電力状態に関する情報を記憶する記憶手段と、少なくとも前記複数のデバイスの電力状態および前記第１通信インターフェースに接続されたユニットの電力状態を制御する制御手段と、を有し、前記ユニットは、前記上位システムが所定の電力状態へ移行することを示す信号を受信し、前記制御手段は、前記ユニットが前記信号を受信したことに基づいて、前記記憶手段で記憶された情報に従って前記複数のデバイスの電力状態を制御し、且つ、前記記憶手段で記憶された情報に従って前記ユニットの電力状態を省電力状態となるように制御することを特徴とする。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
物流及び／または製造プロセスにおいて資材を供給する動的収納ラックユニットであって、長手方向に傾斜した複数の収納ラックコンパートメント（３）を有し、各収納ラックコンパートメント（３）が、長手方向に互いに並んで配置される複数の資材コンテナ（４）を収容するように設計され、収納ラックコンパートメント（３）のそれぞれが、対応する収納ラックコンパートメント（３）の充填レベルを監視する複数のセンサ（５）を有し、前記収納ラックコンパートメント（３）に収容される前記資材コンテナ（４）の長さに実質的に対応する距離（Ａ）が、それぞれの収納ラックコンパートメント（３）の複数のセンサ（５）間において長手方向に設けられ、収納ラックコンパートメント（３）のそれぞれが、対応する収納ラックコンパートメント（３）の状況及び／または充填レベルを表示する少なくとも１つの状況表示装置（１０）を有する動的収納ラックユニットにおいて、
収納ラックコンパートメント（３）のそれぞれが、対応する収納ラックコンパートメント（３）の対応するセンサ（５）をチェックするための、少なくとも１つのコンパートメントチェックユニット（６）を備え、
前記コンパートメントチェックユニット（６）のそれぞれが、対応する収納ラックコンパートメント（３）の対応するセンサ（５）に電気エネルギーを供給するとともに、対応する収納ラックコンパートメント（３）の対応するセンサ（５）からセンサデータを取得、受信、及び送信する、エネルギー・データ伝送ユニット（６）の形態にあり、
前記収納ラックコンパートメント（３）の複数のコンパートメントチェックユニット（６）をチェックする少なくとも１つの収納ラックチェックユニット（７）が設けられ、
前記少なくとも１つの収納ラックチェックユニット（７）が、それぞれの収納ラックコンパートメント（３）に対応する前記複数のコンパートメントチェックユニット（６）に電気エネルギーを供給するとともに、それぞれの収納ラックコンパートメント（３）に対応する前記複数のコンパートメントチェックユニット（６）からのデータを取得、受信、及び送信するように設計され、
前記少なくとも１つの収納ラックチェックユニット（７）をチェックするための、少なくとも１つの中央チェックユニット（１１，１２，１３）が設けられ、
前記中央チェックユニット（１１，１２，１３）が、前記少なくとも１つの収納ラックチェックユニット（７）からのデータを取得、受信、及び送信するように設計されていることを特徴とする動的収納ラックユニット。
【請求項２】
複数のコンパートメントチェックユニット（６）の直列接続が設けられていることを特徴とする請求項１記載の装置。
【請求項３】
複数の収納ラックチェックユニット（７）の直列接続が設けられていることを特徴とする請求項１又は請求項２に記載の装置。
【請求項４】
複数の収納ラックチェックユニット（７）のスター接続が設けられていることを特徴とする請求項１〜請求項３のいずれか１項に記載の装置。
【請求項５】
少なくとも、前記中央チェックユニット（１１，１２，１３）と前記少なくとも１つの収納ラックチェックユニット（７）との間で、データ及び／またはエネルギーを無線伝送するための少なくとも１つの無線ユニット（７，１１）が設けられていることを特徴とする請求項１〜請求項４のいずれか１項に記載の装置。
【請求項６】
少なくとも、前記中央チェックユニット（１１，１２，１３）と前記センサ（５）の１つとの間でデータ及び／またはエネルギーを無線伝送する、少なくとも１つのセンサ無線ユニットが設けられていることを特徴とする請求項１〜請求項５のいずれか１項に記載の装置。
【請求項７】
前記状況表示装置（１０）は、前記収納ラックコンパートメント（３）の収容を行う側の端部領域に少なくとも配置されていることを特徴とする請求項１〜請求項６のいずれか１項に記載の装置。
【請求項８】
資材コンテナ（４）及び／または資材に関する情報／データの入力／読み取りを行うための少なくとも１つの入力ユニット（１５）が設けられていることを特徴とする請求項１〜請求項７のいずれか１項に記載の装置。
【請求項９】
資材コンテナ（４）及び／または資材に関する情報／データを出力／表示するための少なくとも１つの出力ユニット（１４，１６）が設けられていることを特徴とする請求項１〜請求項８のいずれか１項に記載の装置。
【請求項１０】
前記出力ユニット（１４，１６）が、誤った動作を音響的及び／または光学的に警告するための、音響及び／または光学警告ユニット（１４，１６）の形態であることを特徴とする請求項９に記載の装置。
【請求項１１】
実行された動作を確認するための、少なくとも１つの確認ユニット（１５）が設けられていることを特徴とする請求項１〜請求項１０のいずれか１項に記載の装置。
【誤訳訂正書】
【提出日】令和2年1月15日(2020.1.15)
【誤訳訂正１】
【訂正対象書類名】明細書
【訂正対象項目名】００１８
【訂正方法】変更
【訂正の内容】
【００１８】
図５及び図６を参照すると、近位ケーブル５３はルーメン６３を画定する細長い可撓性外側チュービング部材６２を有する。このルーメン６３を通してドングルワイヤ６４がケーブルの近位端と遠位端との間を伸びる。本発明の特徴に従って、ケーブル５３は、ケーブルが操作できるように形状記憶を備えた半剛性であり、かつユーザによって所望に応じてドングル本体５４を選択的に位置決めするか又は方向づけるように構成されている。一実施形態では、外側チュービング部材６２は、金属合金又は一般に硬質なプラスチック材料のらせん状に巻かれたフラットストリップ（複数）６７を備え、当該フラットストリップ６７は、フラットストリップ６７の長手方向に沿う折り曲げ部（longitudinal folds）６９を有し、当該フラットストリップ６７の長手方向に沿う折り曲げ部（longitudinal folds）６９は、隣り合う長手方向側縁部７１を結合することによって、波状輪郭を有する、いわゆる「グースネック」管状構造体を形成する。この「グースネック」管状構造体は、それが操作できてかつ様々な所望の構成を保持するように柔軟性及び形状記憶を備える。管状構造体はまた、歪み軽減及び／又はトランクケーブル絶縁被覆として機能してもよい。チュービング部材６２を通して伸びるワイヤ６４は、チュービング部材６２内に保護されかつ密封される。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
乗物の内部空間に設けられた発光領域を備え、該発光領域を発光させる乗物用発光ユニットであって、
光を照射する照射体と、
前記照射体を制御する制御部と、を有し、
前記発光領域が発光する間、前記制御部は、発光箇所が規則的に移動するように前記照射体を制御し、
前記制御部は、
前記発光箇所が移動して前記発光領域の一方の端部に達した後に他方の端部に戻って移動を繰り返すように前記照射体を制御し、
規則的に移動する前記発光箇所が備える前記照射体とは別に前記乗物の前記内部空間を照射する第一の照射体を備え、
規則的に移動する前記発光箇所が備える前記照射体は、第二の照射体であり、
前記制御部は、前記第一の照射体が発光する間に前記発光箇所が規則的に移動するように前記第二の照射体を発光させるように制御し、
前記第一の照射体は、ドア開閉用のハンドルレバーが収容された窪み周りに設置された第一発光部を発光させ、
前記第二の照射体は、前記ハンドルレバーが収容された窪みの上方に設けられた長尺部に設置された第二発光部を発光させることを特徴とする乗物用発光ユニット。
【請求項２】
前記照射体の前方位置に配置され、前記照射体から照射された光を透過させる透過体と、
前記透過体の前方位置に配置され、前記内部空間において露出している前記発光領域の露出面を形成する加飾体と、を有し、
前記発光領域が発光しない間、前記加飾体が形成する前記発光領域の露出面の装飾様式が、前記発光領域と隣接する非発光領域の露出面の装飾様式に応じた様式となっていることを特徴とする請求項１に記載の乗物用発光ユニット。
【請求項３】
前記乗物に接近し、又は前記乗物から離間する物体を検出する検出部を有し、
該検出部が前記物体を検出した際に、前記制御部は、前記発光箇所が前記検出部により検出された前記物体の移動方向と対応する方向に沿って移動するように前記照射体を制御することを特徴とする請求項１又は２に記載の乗物用発光ユニット。
【請求項４】
前記乗物が停止状態にあるときに前記検出部が前記乗物に接近している前記物体を検出した際、前記制御部は、前記発光箇所が前記検出部により検出された前記物体の移動方向と対応する方向に沿って移動するように前記照射体を制御することを特徴とする請求項３に記載の乗物用発光ユニット。
【請求項５】
前記発光箇所の発光色が可変であり、
前記検出部が前記乗物に接近している前記物体を検出した際、前記制御部は、前記乗物と前記物体との間の距離及び前記物体の移動速度のうち、少なくとも一つの項目を特定し、前記発光色が前記項目の特定結果に応じた色となるように前記照射体を制御することを特徴とする請求項３又は４に記載の乗物用発光ユニット。
【手続補正２】
【補正対象書類名】明細書
【補正対象項目名】０００７
【補正方法】変更
【補正の内容】
【０００７】
前記課題は、本発明の乗物用発光ユニットによれば、乗物の内部空間に設けられた発光領域を備え、該発光領域を発光させる乗物用発光ユニットであって、光を照射する照射体と、前記照射体を制御する制御部と、を有し、前記発光領域が発光する間、前記制御部は、発光箇所が規則的に移動するように前記照射体を制御し、前記制御部は、前記発光箇所が移動して前記発光領域の一方の端部に達した後に他方の端部に戻って移動を繰り返すように前記照射体を制御し、規則的に移動する前記発光箇所が備える前記照射体とは別に前記乗物の前記内部空間を照射する第一の照射体を備え、規則的に移動する前記発光箇所が備える前記照射体は、第二の照射体であり、前記制御部は、前記第一の照射体が発光する間に前記発光箇所が規則的に移動するように前記第二の照射体を発光させるように制御し、前記第一の照射体は、ドア開閉用のハンドルレバーが収容された窪み周りに設置された第一発光部を発光させ、前記第二の照射体は、前記ハンドルレバーが収容された窪みの上方に設けられた長尺部に設置された第二発光部を発光させることにより解決される。
本発明の乗物用発光ユニットでは、発光領域における発光箇所が規則的に移動する。このように発光箇所が移動することにより、発光パターンのバリエーションが増えるようになる。さらに、乗物内外の状況に応じて発光箇所を移動させれば、当該状況の変化を適切に乗員に知らせることが可能となる。
【手続補正３】
【補正対象書類名】明細書
【補正対象項目名】０００８
【補正方法】変更
【補正の内容】
【０００８】
また、上記の乗物用発光ユニットにおいて、前記照射体の前方位置に配置され、前記照射体から照射された光を透過させる透過体と、前記透過体の前方位置に配置され、前記内部空間において露出している前記発光領域の露出面を形成する加飾体と、を有し、前記発光領域が発光しない間、前記加飾体が形成する前記発光領域の露出面の装飾様式が、前記発光領域と隣接する非発光領域の露出面の装飾様式に応じた様式となっていると好適である。
上記のように構成された本発明の乗物用発光ユニットによれば、発光領域が発光しない間、発光領域の露出面の装飾様式が、発光領域と隣接する非発光領域の露出面の装飾様式に応じた様式となっている。このため、非発光時には発光領域と周辺部材（厳密には非発光領域）とが調和し、発光領域を目立ち難くすることが可能となる。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
始動条件が成立した旨判断されたことに基づいて当り判定を行う当り判定手段と、
前記当り判定手段による当り判定の結果に基づいて変動パターンを決定する変動パターン決定手段と、
前記変動パターン決定手段により決定された変動パターンに基づいて図柄演出を行う図柄演出手段と、
前記図柄演出手段により実行される図柄演出において特定の図柄態様が現れると、遊技者に有利な特定遊技状態に移行させる遊技状態移行手段と、
前記決定された変動パターンに基づく図柄演出として、カウント表示が行われる変動側カウント演出を実行可能な変動側カウント演出手段と、
前記変動パターンに基づく図柄演出に対して付加的に行われる演出として、カウント表示が行われる予告側カウント演出を、予告判定の結果に基づいて実行可能な予告側カウント演出手段と
を備え、
前記図柄演出が行われる期間中、前記変動側カウント演出及び前記予告側カウント演出のうち、前記変動側カウント演出のみが行われる場合と、前記予告側カウント演出のみが行われる場合と、前記変動側カウント演出及び前記予告側カウント演出が並行して行われる場合とがあり、
前記変動側カウント演出におけるカウント表示のカウント速度と、前記予告側カウント演出におけるカウント表示のカウント速度とが互いに異なるようにされており、
さらに、
前記変動側カウント演出が実行され得る変動パターンに基づいて実行される図柄演出において前記予告側カウント演出が実行される割合は、前記変動側カウント演出が実行されない変動パターンに基づいて実行される図柄演出において前記予告側カウント演出が実行される割合よりも高くなっており、
さらに、
前記変動側カウント演出及び前記予告側カウント演出が並行して行われているなかで、前記変動側カウント演出におけるカウント表示と前記予告側カウント演出におけるカウント表示のうち前記変動側カウント演出におけるカウント表示が非表示にされる場合があり、前記変動側カウント演出におけるカウント表示が非表示にされた場合であっても前記予告側カウント演出におけるカウント表示は継続してカウント表示が行われる
ことを特徴とする遊技機。
【手続補正２】
【補正対象書類名】明細書
【補正対象項目名】０００５
【補正方法】変更
【補正の内容】
【０００５】
上記従来の遊技機では、遊技興趣が低下する懸念がある。
【手続補正３】
【補正対象書類名】明細書
【補正対象項目名】０００６
【補正方法】変更
【補正の内容】
【０００６】
この発明は、こうした実情に鑑みてなされたものであり、遊技興趣の低下を抑制しうる遊技機を提供することを目的とする。
【手続補正４】
【補正対象書類名】明細書
【補正対象項目名】０００７
【補正方法】変更
【補正の内容】
【０００７】
手段１：始動条件が成立した旨判断されたことに基づいて当り判定を行う当り判定手段と、
前記当り判定手段による当り判定の結果に基づいて変動パターンを決定する変動パターン決定手段と、
前記変動パターン決定手段により決定された変動パターンに基づいて図柄演出を行う図柄演出手段と、
前記図柄演出手段により実行される図柄演出において特定の図柄態様が現れると、遊技者に有利な特定遊技状態に移行させる遊技状態移行手段と、
前記決定された変動パターンに基づく図柄演出として、カウント表示が行われる変動側カウント演出を実行可能な変動側カウント演出手段と、
前記変動パターンに基づく図柄演出に対して付加的に行われる演出として、カウント表示が行われる予告側カウント演出を、予告判定の結果に基づいて実行可能な予告側カウント演出手段と
を備え、
前記図柄演出が行われる期間中、前記変動側カウント演出及び前記予告側カウント演出のうち、前記変動側カウント演出のみが行われる場合と、前記予告側カウント演出のみが行われる場合と、前記変動側カウント演出及び前記予告側カウント演出が並行して行われる場合とがあり、
前記変動側カウント演出におけるカウント表示のカウント速度と、前記予告側カウント演出におけるカウント表示のカウント速度とが互いに異なるようにされており、
さらに、
前記変動側カウント演出が実行され得る変動パターンに基づいて実行される図柄演出において前記予告側カウント演出が実行される割合は、前記変動側カウント演出が実行されない変動パターンに基づいて実行される図柄演出において前記予告側カウント演出が実行される割合よりも高くなっており、
さらに、
前記変動側カウント演出及び前記予告側カウント演出が並行して行われているなかで、前記変動側カウント演出におけるカウント表示と前記予告側カウント演出におけるカウント表示のうち前記変動側カウント演出におけるカウント表示が非表示にされる場合があり、前記変動側カウント演出におけるカウント表示が非表示にされた場合であっても前記予告側カウント演出におけるカウント表示は継続してカウント表示が行われる
ことを特徴とする遊技機。
【手続補正５】
【補正対象書類名】明細書
【補正対象項目名】０００８
【補正方法】変更
【補正の内容】
【０００８】
この発明によれば、遊技興趣の低下が抑制されうる。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
遊技を制御する制御基板と、
前記制御基板を収納する透過性を有する収納部と、
透過性を有する素材で形成され、前記収納部の異なる位置に貼付された第１シール及び第２シールと、を備え、
前記第１シールに、遊技機に関する所定の第１名称情報が表示され、
前記第２シールに、前記収納部の開封に関する第１記入欄、第２記入欄が設けられ、
前記第２シールは、所定の加工が第１の模様と、前記第１の模様とは異なる固有情報を含む第２の模様とにより形成されることで、前記第１シールよりも前記制御基板の視認性が低いことを特徴とする遊技機。
【手続補正２】
【補正対象書類名】明細書
【補正対象項目名】０００２
【補正方法】変更
【補正の内容】
【０００２】
従来、遊技機の制御基板を収納する基板ケースは、ケース部材を２つ組み合わせて構成されている。
【手続補正３】
【補正対象書類名】明細書
【補正対象項目名】０００３
【補正方法】変更
【補正の内容】
【０００３】
制御基板は、これらケース部材の制御基板収納部を組み合わせて形成される収納空間内に収納される（例えば、特許文献１参照）。
【手続補正４】
【補正対象書類名】明細書
【補正対象項目名】０００４
【補正方法】変更
【補正の内容】
【０００４】
【特許文献１】特開２０１０−１６７１２４号公報
【手続補正５】
【補正対象書類名】明細書
【補正対象項目名】０００５
【補正方法】変更
【補正の内容】
【０００５】
しかしながら、従来の遊技機では、例えば、制御基板又は基板ケース等に対する不正行為が行われる可能性が残っており、当該不正行為の結果、遊技機本来の遊技性能が担保されないことで遊技者に正常な遊技を提供することが困難な虞があった。
【手続補正６】
【補正対象書類名】明細書
【補正対象項目名】０００６
【補正方法】変更
【補正の内容】
【０００６】
本発明の目的は、不正を早期に発見可能とし、遊技者に対して正常な遊技を提供することである。
【手続補正７】
【補正対象書類名】明細書
【補正対象項目名】０００７
【補正方法】変更
【補正の内容】
【０００７】
［適用例１］
上記課題を解決するため、本願の適用例１の遊技機は、遊技を制御する制御基板（５０１）と、前記制御基板を収納する透過性を有する収納部（１８０３）と、透過性を有する素材で形成され、前記収納部の異なる位置に貼付された第１シール（１５６１）及び第２シール（１５６０）と、を備え、前記第１シールに、遊技機に関する所定の第１名称情報が表示され、前記第２シールに、前記収納部の開封に関する第１記入欄、第２記入欄が設けられ、前記第２シールは、所定の加工が第１の模様と、前記第１の模様とは異なる固有情報を含む第２の模様とにより形成されることで、前記第１シールよりも前記制御基板の視認性が低いことを要旨とする。
【手続補正８】
【補正対象書類名】明細書
【補正対象項目名】０００８
【補正方法】変更
【補正の内容】
【０００８】
本発明によれば、不正を早期に発見可能とし、遊技者に対して正常な遊技を提供することができる。
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
遊技を制御する第１基板と、
遊技に伴う遊技媒体の払出を制御する第２基板と、
前記第１基板を収納する第１収納部と、
前記第２基板を収納する第２収納部と、
前記第１基板が搭載される遊技機に関する所定の名称情報が表示された第１シールと、
第１記入欄及び第２記入欄が設けられた第２シールと、を備え、
前記第１ケースには、前記第１シールと前記第２シールとが貼付され、
前記第２ケースには、特定情報が表示された第３シールが貼付され、
前記第１基板が前記第１収納部に収納されているとき、前記第１シールを介して前記第１基板の電子部品を実装した実装基板面が視認可能であり、前記第２シールを介して前記実装基板面が視認可能であり、
前記第２シールは、所定の加工が施されており、前記第３シールよりも前記第１基板の視認性が低いことを特徴とする遊技機。
【手続補正２】
【補正対象書類名】明細書
【補正対象項目名】０００２
【補正方法】変更
【補正の内容】
【０００２】
従来、遊技機の制御基板を収納する基板ケースは、ケース部材を２つ組み合わせて構成されている。
【手続補正３】
【補正対象書類名】明細書
【補正対象項目名】０００３
【補正方法】変更
【補正の内容】
【０００３】
制御基板は、これらケース部材の制御基板収納部を組み合わせて形成される収納空間内に収納される（例えば、特許文献１参照）。
【手続補正４】
【補正対象書類名】明細書
【補正対象項目名】０００４
【補正方法】変更
【補正の内容】
【０００４】
【特許文献１】特開２０１０−１６７１２４号公報
【手続補正５】
【補正対象書類名】明細書
【補正対象項目名】０００５
【補正方法】変更
【補正の内容】
【０００５】
しかしながら、従来の遊技機では、例えば、制御基板又は基板ケース等に対する不正行為が行われる可能性が残っており、当該不正行為の結果、遊技機本来の遊技性能が担保されないことで遊技者に正常な遊技を提供することが困難な虞があった。
【手続補正６】
【補正対象書類名】明細書
【補正対象項目名】０００６
【補正方法】変更
【補正の内容】
【０００６】
本発明の目的は、不正を早期に発見可能とし、遊技者に対して正常な遊技を提供することである。
【手続補正７】
【補正対象書類名】明細書
【補正対象項目名】０００７
【補正方法】変更
【補正の内容】
【０００７】
［適用例１］
上記課題を解決するため、本願の適用例１の遊技機は、遊技を制御する第１基板（５０１）と、遊技に伴う遊技媒体の払出を制御する第２基板（１８１１）と、前記第１基板を収納する第１収納部（１８０３）と、前記第２基板を収納する第２収納部（１８１３）と、前記第１基板が搭載される遊技機に関する所定の名称情報が表示された第１シール（１５６１）と、第１記入欄及び第２記入欄が設けられた第２シール（１５６０）と、を備え、前記第１ケースには、前記第１シールと前記第２シールとが貼付され、前記第２ケースには、特定情報が表示された第３シール（１８１６）が貼付され、前記第１基板が前記第１収納部に収納されているとき、前記第１シールを介して前記第１基板の電子部品（５９５）を実装した実装基板面が視認可能であり、前記第２シールを介して前記実装基板面が視認可能であり、前記第２シールは、所定の加工が施されており、前記第３シールよりも前記第１基板の視認性が低いことを要旨とする。
【手続補正８】
【補正対象書類名】明細書
【補正対象項目名】０００８
【補正方法】変更
【補正の内容】
【０００８】
本発明によれば、不正を早期に発見可能とし、遊技者に対して正常な遊技を提供することができる。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
粉塵検出装置であって、
調整対象通路（４２１ａ）に流れる空気の風圧（Ｐ１）を受けるように構成された被風圧部（４２１）を有し、前記調整対象通路に流れる空気の風量の変動を抑えるように前記風圧によって前記調整対象通路の通路開度を調整する開度調整装置（４２）と、
空気が流れるセンサ通路（３４１）内の空気の粉塵濃度を検出するための光学式の粉塵センサ（３４）と、
第１空気通路（３８１）と第２空気通路（４０１）とがそれぞれ接続され、前記第１空気通路から導入される空気の流れによって前記第２空気通路から空気を吸引し、該空気の吸引によって前記第２空気通路に空気流れを発生させるアスピレータ（３６）とを備え、
前記調整対象通路には、車室内の空調を行う空調ユニット（１０）内に形成されたユニット内通路（１１ａ）の空気流れによって空気が流れ、
前記センサ通路には、前記調整対象通路に空気が流れることに伴って空気が流れ、
前記センサ通路に流れる空気の風速は、前記調整対象通路に流れる空気の風量が小さいほど小さくなり、
前記第１空気通路は、前記ユニット内通路へ連結され該ユニット内通路から空気が流入する流入口（３８１ａ）を、前記第１空気通路の空気流れ上流端に有し、
前記センサ通路は前記第２空気通路に含まれ、
前記調整対象通路は、前記第１空気通路のうちの一部区間、または、前記第２空気通路のうち前記センサ通路に直列に連結する一部区間を構成する、粉塵検出装置。
【請求項２】
前記被風圧部は、前記通路開度を増減可能に構成され、前記風圧が強まるほど、前記通路開度を小さくする側へ前記風圧により強く付勢され、
前記開度調整装置は、前記被風圧部に連結された弾性部（４２２）を有し、
前記弾性部は、前記被風圧部が前記通路開度を小さくするほど、前記通路開度を大きくする側へ前記被風圧部を前記弾性部の弾性変形により強く付勢する、請求項１に記載の粉塵検出装置。
【請求項３】
粉塵検出装置であって、
調整対象通路（４２１ａ）に流れる空気の風圧（Ｐ１）を受けるように構成された被風圧部（４２１）を有し、前記調整対象通路に流れる空気の風量の変動を抑えるように前記風圧によって前記調整対象通路の通路開度を調整する開度調整装置（４２）と、
空気が流れるセンサ通路（３４１）内の空気の粉塵濃度を検出するための光学式の粉塵センサ（３４）とを備え、
前記調整対象通路には、車室内の空調を行う空調ユニット（１０）内に形成されたユニット内通路（１１ａ）の空気流れによって空気が流れ、
前記センサ通路には、前記調整対象通路に空気が流れることに伴って空気が流れ、
前記センサ通路に流れる空気の風速は、前記調整対象通路に流れる空気の風量が小さいほど小さくなり、
前記被風圧部は、前記通路開度を増減可能に構成され、前記風圧が強まるほど、前記通路開度を小さくする側へ前記風圧により強く付勢され、
前記開度調整装置は、前記被風圧部に連結された弾性部（４２２）を有し、
前記弾性部は、前記被風圧部が前記通路開度を小さくするほど、前記通路開度を大きくする側へ前記被風圧部を前記弾性部の弾性変形により強く付勢し、
前記空調ユニットは、前記ユニット内通路に流れる空気の風速に影響する動作を行うドア機構（１４）を有し、
前記弾性部は、前記ドア機構に対し連結され該ドア機構の動作に機械的に連動して移動させられる弾性部一端（４２２ａ）と、前記被風圧部に連結された弾性部他端（４２２ｂ）とを有し、該弾性部一端と該弾性部他端との間隔が拡がる向きに弾性変形させられるほど、前記通路開度を大きくする側へ前記被風圧部を強く付勢するものであり、
前記ドア機構が前記ユニット内通路内の風速を高める側へ動作するほど、該ドア機構によって前記弾性部一端は前記弾性部他端へ近づく方向へ変位させられる、粉塵検出装置。
【請求項４】
粉塵検出装置であって、
調整対象通路（４２１ａ）に流れる空気の風圧（Ｐ１）を受けるように構成された被風圧部（４２１）を有し、前記調整対象通路に流れる空気の風量の変動を抑えるように前記風圧によって前記調整対象通路の通路開度を調整する開度調整装置（４２）と、
空気が流れるセンサ通路（３４１）内の空気の粉塵濃度を検出するための光学式の粉塵センサ（３４）と、
作動部（４６）と、
該作動部の作動を制御する制御部（４８）とを備え、
前記調整対象通路には、車室内の空調を行う空調ユニット（１０）内に形成されたユニット内通路（１１ａ）の空気流れによって空気が流れ、
前記センサ通路には、前記調整対象通路に空気が流れることに伴って空気が流れ、
前記センサ通路に流れる空気の風速は、前記調整対象通路に流れる空気の風量が小さいほど小さくなり、
前記被風圧部は、前記通路開度を増減可能に構成され、前記風圧が強まるほど、前記通路開度を小さくする側へ前記風圧により強く付勢され、
前記開度調整装置は、前記被風圧部に連結された弾性部（４２２）を有し、
前記弾性部は、前記被風圧部が前記通路開度を小さくするほど、前記通路開度を大きくする側へ前記被風圧部を前記弾性部の弾性変形により強く付勢し、
前記弾性部は、前記作動部に対し連結され該作動部によって移動させられる弾性部一端（４２２ａ）と、前記被風圧部に連結された弾性部他端（４２２ｂ）とを有し、該弾性部一端と該弾性部他端との間隔が拡がる向きに弾性変形させられるほど、前記通路開度を大きくする側へ前記被風圧部を強く付勢するものであり、
前記制御部は、前記ユニット内通路内の風速が高まるほど前記弾性部一端が前記弾性部他端へ近づく方向へ前記作動部が該弾性部一端を変位させるように、該作動部を作動させる、粉塵検出装置。
【手続補正２】
【補正対象書類名】明細書
【補正対象項目名】０００８
【補正方法】変更
【補正の内容】
【０００８】
上記目的を達成するため、請求項１に記載の粉塵検出装置は、
調整対象通路（４２１ａ）に流れる空気の風圧（Ｐ１）を受けるように構成された被風圧部（４２１）を有し、調整対象通路に流れる空気の風量の変動を抑えるように上記風圧によって調整対象通路の通路開度を調整する開度調整装置（４２）と、
空気が流れるセンサ通路（３４１）内の空気の粉塵濃度を検出するための光学式の粉塵センサ（３４）と、
第１空気通路（３８１）と第２空気通路（４０１）とがそれぞれ接続され、第１空気通路から導入される空気の流れによって第２空気通路から空気を吸引し、その空気の吸引によって第２空気通路に空気流れを発生させるアスピレータ（３６）とを備え、
調整対象通路には、車室内の空調を行う空調ユニット（１０）内に形成されたユニット内通路（１１ａ）の空気流れによって空気が流れ、
センサ通路には、調整対象通路に空気が流れることに伴って空気が流れ、
センサ通路に流れる空気の風速は、調整対象通路に流れる空気の風量が小さいほど小さくなり、
第１空気通路は、ユニット内通路へ連結されそのユニット内通路から空気が流入する流入口（３８１ａ）を、第１空気通路の空気流れ上流端に有し、
センサ通路は第２空気通路に含まれ、
調整対象通路は、第１空気通路のうちの一部区間、または、第２空気通路のうちセンサ通路に直列に連結する一部区間を構成する。
【手続補正書】
【提出日】令和1年12月11日(2019.12.11)
【手続補正１】
【補正対象書類名】特許請求の範囲
【補正対象項目名】請求項１
【補正方法】変更
【補正の内容】
【請求項１】
モータ（１０）の駆動を制御することで、シフトレンジの切り替えを制御するシフトレンジ制御装置であって、
オンオフ周期が等しく、位相が異なる３相以上の回転角信号を出力可能な回転角センサ（１３）から前記回転角信号を取得する信号取得部（５１）と、
前記モータの回転位置が目標シフトレンジに応じた目標回転位置となるように前記モータの駆動を制御する駆動制御部（５５）と、
を備え、
前記駆動制御部は、シフトレンジ切替中に前記回転角信号の異常が検出された場合、正常時とは通電パターンを変更し、前記モータの駆動を継続するシフトレンジ制御装置。
【手続補正２】
【補正対象書類名】明細書
【補正対象項目名】０００６
【補正方法】変更
【補正の内容】
【０００６】
本発明のシフトレンジ制御装置は、モータ（１０）の駆動を制御することで、シフトレンジの切り替えを制御するものであって、信号取得部（５１）と、駆動制御部（５５）と、を備える。信号取得部は、オンオフ周期が等しく、位相が異なる３相以上の回転角信号を出力可能な回転角センサ（１３）から回転角信号を取得する。駆動制御部は、モータの回転位置が目標シフトレンジに応じた目標回転位置となるようにモータの駆動を制御する。駆動制御部は、シフトレンジ切替中に回転角信号の異常が検出された場合、正常時とは通電パターンを変更し、モータの駆動を継続する。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に遊技価値を付与する遊技機において、
遊技の進行を制御する主制御手段と、
貸出または入賞による前記遊技価値の情報を管理する遊技価値管理制御手段と、
前記遊技価値管理制御手段により管理される前記遊技価値の情報を表示する遊技価値表示手段と、
前記遊技価値管理制御手段により管理される前記遊技価値に関する情報を遊技機外部のユニット装置との間で送受信することで遊技価値を移動させる送受信手段と、
前記送受信手段に関する特定エラーと、前記特定エラーとは異なる所定エラーとを含む複数種類のエラーと、
を備え、
さらに前記遊技機は、
前記遊技価値を前記ユニット装置へ移動させるための所定操作に基づいて、当該遊技価値を前記ユニット装置へ移動させるように制御するものであり、
前記特定エラーが発生したときは、前記所定操作がなされても前記遊技価値を前記ユニット装置へ移動させず、
前記所定エラーが発生したときは、前記所定操作に基づいて前記遊技価値を前記ユニット装置へ移動させるように制御し、前記可変表示列が可変表示しているときであっても前記所定操作に基づいて前記遊技価値を前記ユニット装置へ移動させるように制御する、
ことを特徴とする遊技機。
【請求項２】
前記複数種類のエラーには、前記遊技価値管理制御手段によって管理される前記遊技価値の情報が所定の上限値に達する上限エラーを含み、
前記上限エラーは、前記所定操作に基づいて前記遊技価値を前記ユニット装置へ移動させることで解除される、
ことを特徴とする請求項１に記載の遊技機。
【手続補正２】
【補正対象書類名】明細書
【補正対象項目名】０００７
【補正方法】変更
【補正の内容】
【０００７】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に遊技価値を付与する遊技機において、遊技の進行を制御する主制御手段と、貸出または入賞による前記遊技価値の情報を管理する遊技価値管理制御手段と、前記遊技価値管理制御手段により管理される前記遊技価値の情報を表示する遊技価値表示手段と、前記遊技価値管理制御手段により管理される前記遊技価値に関する情報を遊技機外部のユニット装置との間で送受信することで遊技価値を移動させる送受信手段と、前記送受信手段に関する特定エラーと、前記特定エラーとは異なる所定エラーとを含む複数種類のエラーと、を備え、さらに前記遊技機は、前記遊技価値を前記ユニット装置へ移動させるための所定操作に基づいて、当該遊技価値を前記ユニット装置へ移動させるように制御するものであり、前記特定エラーが発生したときは、前記所定操作がなされても前記遊技価値を前記ユニット装置へ移動させず、前記所定エラーが発生したときは、前記所定操作に基づいて前記遊技価値を前記ユニット装置へ移動させるように制御し、前記可変表示列が可変表示しているときであっても前記所定操作に基づいて前記遊技価値を前記ユニット装置へ移動させるように制御する、ことを特徴とする。
さらに、遊技機は以下のような構成を備えても良い。
前記複数種類のエラーには、前記遊技価値管理制御手段によって管理される前記遊技価値の情報が所定の上限値に達する上限エラーを含み、
前記上限エラーは、前記所定操作に基づいて前記遊技価値を前記ユニット装置へ移動させることで解除される、ことを特徴とする。
また、他の構成として遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に遊技価値を付与する遊技機において、遊技の進行を制御する主制御手段と、貸出または入賞による前記遊技価値の情報を管理する遊技価値管理制御手段と、前記遊技価値管理制御手段により管理される前記遊技価値の情報を表示する遊技価値表示手段と、前記遊技価値管理制御手段により管理される前記遊技価値に関する情報を、遊技機外部のユニット装置との間で送受信する送受信手段とを備えることを特徴としている。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
ＲＯＭと、ＲＡＭと、ＣＰＵとを備えた遊技機であって、
前記ＲＯＭには、前記ＣＰＵに対する命令を司るプログラムと、プログラムに従い読みだされるデータとが記憶され、
前記ＲＯＭは、
プログラムが記憶されている第一制御領域と、
データが記憶されている第一データ領域と、
プログラムが記憶されている第二制御領域と、
データが記憶されている第二データ領域と
を有し、
前記ＲＡＭは、
前記第一制御領域に記憶されているプログラムによる処理結果データを記憶する第一情報格納領域と、
前記第二制御領域に記憶されているプログラムによる処理結果データを記憶する第二情報格納領域と、
を有し、
レジスタに記憶されているデータを退避可能であり、第一制御領域に記憶されているプログラムにおける処理にて使用する第一スタック領域と、
レジスタに記憶されているデータを退避可能であり、第二制御領域に記憶されているプログラムにおける処理にて使用する第二スタック領域と
を備えており、
第一制御領域に記憶されているプログラムによる処理及び第二制御領域に記憶されているプログラムによる処理のうち、第一制御領域に記憶されているプログラムから第二制御領域に記憶されているプログラムが呼び出された際に行われる処理であって、第二制御領域に記憶されているプログラムによって第一制御領域に記憶されているプログラムで使用する所定のレジスタの退避を含む一連の処理ルートにて処理を実行した場合にのみ第二スタック領域の使用量が最大となるよう構成され、
第二スタック領域の最大使用量となる処理ルートにおいて１回の命令で使用する第二スタック領域の使用量の最大値は、第一スタック領域の最大使用量となる処理ルートにおいて１回の命令で使用する第一スタック領域の使用量の最大値よりも大きくなるよう構成されている
ことを特徴とする遊技機。
【手続補正２】
【補正対象書類名】明細書
【補正対象項目名】０００８
【補正方法】変更
【補正の内容】
【０００８】
本態様に係るぱちんこ遊技機は、
ＲＯＭ（例えば、主制御基板Ｍに搭載されたＣＰＵの内蔵ＲＯＭ）と、ＲＡＭ（例えば、主制御基板Ｍに搭載されたＣＰＵの内蔵ＲＡＭ）と、ＣＰＵ（例えば、主制御基板Ｍに搭載されたＣＰＵ）とを備えた遊技機であって、
前記ＲＯＭには、前記ＣＰＵに対する命令を司るプログラムと、プログラムに従い読みだされるデータとが記憶され、
前記ＲＯＭ（例えば、実施例において＜メモリマップ＞として示した主制御チップのメモリマップの一例において）は、
プログラムが記憶されている第一制御領域（例えば、第１ＲＯＭ領域における第１制御領域）と、
データが記憶されている第一データ領域（例えば、第１ＲＯＭ領域における第１データ領域）と、
プログラムが記憶されている第二制御領域（例えば、第２ＲＯＭ領域における第２制御領域）と、
データが記憶されている第二データ領域（例えば、第２ＲＯＭ領域における第２データ領域）とを有し、
前記ＲＡＭは、
前記第一制御領域に記憶されているプログラムによる処理結果データを記憶する第一情報格納領域と、
前記第二制御領域に記憶されているプログラムによる処理結果データを記憶する第二情報格納領域と、
を有し、
レジスタに記憶されているデータを退避可能であり、第一制御領域に記憶されているプログラムにおける処理にて使用する第一スタック領域と、
レジスタに記憶されているデータを退避可能であり、第二制御領域に記憶されているプログラムにおける処理にて使用する第二スタック領域と
を備えており、
第一制御領域に記憶されているプログラムによる処理及び第二制御領域に記憶されているプログラムによる処理のうち、第一制御領域に記憶されているプログラムから第二制御領域に記憶されているプログラムが呼び出された際に行われる処理であって、第二制御領域に記憶されているプログラムによって第一制御領域に記憶されているプログラムで使用する所定のレジスタの退避を含む一連の処理ルートにて処理を実行した場合にのみ第二スタック領域の使用量が最大となるよう構成され、
第二スタック領域の最大使用量となる処理ルートにおいて１回の命令で使用する第二スタック領域の使用量の最大値は、第一スタック領域の最大使用量となる処理ルートにおいて１回の命令で使用する第一スタック領域の使用量の最大値よりも大きくなるよう構成されている
ことを特徴とする遊技機である。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
サッカロマイセス・バヤヌス・バー・ウバルム（Ｓａｃｃｈａｒｏｍｙｃｅｓ  ｂａｙａｎｕｓ  ｖａｒ．  ｕｖａｒｕｍ）  Ｂ３５Ｌ１株（ＮＩＴＥ  Ｐ−０２５０９）と、サッカロマイセス・セレビシエ（Ｓａｃｃｈａｒｏｍｙｃｅｓ  ｃｅｒｅｖｉｓｉａｅ）  Ｈ２４Ｕ１Ｍ株（ＮＩＴＥ  Ｐ−０２５０８）とを胞子対細胞接合により交雑することを特徴とする、サッカロマイセス（Ｓａｃｃｈａｒｏｍｙｃｅｓ）属に属する製パン用酵母の作出方法。
【請求項２】
製パン用酵母サッカロマイセス（Ｓａｃｃｈａｒｏｍｙｃｅｓ）ｓｐ．ＤＨＢ１９株（ＮＩＴＥ  Ｐ−０２５４５）。
【請求項３】
請求項２に記載の製パン用酵母を含有するパン生地。
【請求項４】
請求項３に記載のパン生地を発酵させ、その後焼成することを特徴とする、パン類の製造方法。